(57)【特許請求の範囲】
【請求項１】
導入口及び吐出口を有し、これら導入口と吐出口との間に給水通路が形成された給水器本体と、
上記給水通路を流れる水に混入されるとともにこの水よりも比重の大きな混入溶液が収容された混入溶液収容室と、
上記混入溶液収容室と区画され、この混入溶液収容室の上部位置に設けられるとともにこの混入溶液収容室より混入溶液が導かれる希釈室と、
これら混入溶液収容室および希釈室を相互に通水可能に仕切る仕切材と、
給水を止めて使用しないときの前記給水器本体の姿勢でみて上記希釈室の上部位置に形成され、上記給水通路よりこの給水通路を流れる水の一部を希釈室に導入し、この導入した水により希釈室内で上記混入溶液収容室より導入した混入溶液を低濃度に希釈し、この低濃度の希釈溶液を上記給水通路に供給する徐放口と、
を具備したことを特徴とする混入溶液徐放機能付き給水器。
【請求項２】
上記混入溶液収容室及び希釈室の少なくとも一方に、混入溶液を撹拌する撹拌機構を備えたことを特徴とする請求項１に記載の混入溶液徐放機能付き給水器。
【請求項３】
上記撹拌機構は、
給水通路を流れる水の流動エネルギーによって上記混入溶液収容室内又は希釈室内の混入溶液に回転運動を与える手段と、
上記回転される混入溶液の一部に回転抵抗を与える回転抵抗手段と、
を備えることを特徴とする請求項２に記載の混入溶液徐放機能付き給水器。
【請求項４】
上記混入溶液に回転運動を与える手段は、
給水通路を流れる水の流動エネルギーによって上記混入溶液収容室全体又は希釈室全体を回転させ、この回転により混入溶液に追従回転を与えるものであることを特徴とする請求項３に記載の混入溶液徐放機能付き給水器。
【請求項５】
上記混入溶液収容室全体又は希釈室全体を回転させる手段は、
給水通路を流れる水の流動エネルギーによって給水通路内に旋回流を発生させる旋回流発生機構と、
上記混入溶液収容室又は希釈室に設けられ、上記旋回流を受けてこの混入溶液収容室又は希釈室自身を回転させる受け羽根と、
を備えることを特徴とする請求項４に記載の混入溶液徐放機能付き給水器。
【請求項６】
上記回転される混入溶液の一部に回転抵抗を与える回転抵抗手段は、
上記混入溶液収容室又は希釈室内に移動自在に収容した磁性体又は磁石と、
上記給水器本体に固定した磁石又は磁性体と、
を備え、上記混入溶液収容室又は希釈室内の混入溶液が回転した場合に上記給水器本体側の磁石又は磁性体と上記混入溶液収容室又は希釈室内の磁石又は磁性体とが磁力作用により相互に吸引し合って混入溶液収容室又は希釈室内の磁石又は磁性体が混入溶液の回転に追従されないようになっていることを特徴とする請求項３ないし請求項５のいずれか一に記載の混入溶液徐放機能付き給水器。
【請求項７】
混入溶液収容室内には、水に溶けて混入溶液を生成する元となる粉末又は顆粒もしくはペレットを収容し、これら粉末又は顆粒もしくはペレットが水に溶けて混入溶液を生成するものであることを特徴とする請求項１ないし請求項６のいずれか一に記載の混入溶液徐放機能付き給水器。
【請求項８】
上記水に溶けて混入溶液を生成する元となる粉末又は顆粒もしくはペレットは、混入溶液収容室内に最初に充填される水によって溶ける量よりも余剰に収容されていることを特徴とする請求項７に記載の混入溶液徐放機能付き給水器。
【請求項９】
混入溶液がＬ−アスコルビン酸又はＬ−アスコルビン酸類であることを特徴とする請求項１ないし請求項８のいずれか一に記載の混入溶液徐放機能付き給水器。
【請求項１０】
混入溶液収容室の少なくとも一部が透明であるとともに、供給器本体の少なくとも一部も透明であり、混入溶液収容室の内部の少なくとも一部が給水器本体の外から見えるようになっていることを特徴とする請求項１ないし請求項９のいずれか一に記載の混入溶液徐放機能付き給水器。
【請求項１１】
上記混入溶液収容室と希釈室及び徐放口は、一体又は一体的に形成されてカートリッジを構成し、このカートリッジは上記給水器本体に脱着可能に取り付けられていることを特徴とする請求項１ないし請求項１０のいずれか一に記載の混入溶液徐放機能付き給水器。
【請求項１２】
上記徐放口は、開口面積が１．０mm２以下とされていることを特徴とする請求項１ないし請求項１１のいずれか一に記載の混入溶液徐放機能付き給水器。
【請求項１３】
上記給水器本体は、導入口がシャワーホースに連結されるとともに、吐出口に散水板を備えてなるシャワーヘッドであることを特徴とする請求項１ないし請求項１２のいずれか一に記載の混入溶液徐放機能付き給水器。
【発明の詳細な説明】
【０００１】
【発明の属する技術分野】
本発明は、浴槽や洗面所に設置されるシャワーヘッド、浴槽・洗面所・台所などの蛇口に設置される給水具などに適用される給水器に係り、特に供給される水道水（お湯の場合も含む）に塩素中和剤や芳香剤・弱酸化剤・弱アルカリ剤・皮膚化粧水・入浴剤・保湿剤・洗髪剤などの混入溶液を少量ずつ混合して、この混合された水を供給する給水器に関する。
【０００２】
【従来の技術】
水道水には雑菌を滅菌消毒するため塩素の混合が義務付けられており、日本の水道法では蛇口から出る水道水に０．１ppm以上の残留塩素が混入されていなければならないことになっている。特に最近は、河川等の水源における水質が劣化する傾向にあり、またＯー１５７大腸菌等が発生するなどの状況から、原水の殺菌に大量の塩素が投入されている。したがって、蛇口から出る水道水にはかなり多くの残留塩素が混在されている。
【０００３】
しかしながら、水道水に含まれる残留塩素（特に次亜塩素酸ＨＯＣｌなどの遊離残留塩素）は人の肌や毛髪に悪影響を及ぼし、肌の老化現象や、頭髪の脱色やぱさつき、抜け毛の原因になるといわれている。特に、肌の弱い体質の人や、乳幼児などには残留塩素の影響が大きく、且つアトピー性皮膚炎などのように皮膚に障害を持つ人にも悪影響を及ぼすといわれている。
【０００４】
このようなことから、最近、水道水に含まれる残留塩素を中和する機能を持った脱塩素機能付きシャワーヘッドが開発され、特許出願されている（特許文献１、特許文献２及び特許文献３など）。これら脱塩素機能付きシャワーヘッドは、シャワーヘッドを構成する握り部又はヘッド部に、亜硫酸カルシウムやＬ−アスコルビン酸（以下、ビタミンＣという）などの塩素中和剤を収容したカートリッジを取り付け、このカートリッジに形成した徐放口を通じてシャワーヘッド内を流れる水道水に上記塩素中和剤の水溶液を混合させるものである。このようなシャワーヘッドであれば、塩素中和剤と水道水に含まれる残留塩素とが反応して残留塩素を無害な塩素化合物に変え、よって中和処理された水（又は湯）をヘッド部先端の散水孔から放出させることができる。
【０００５】
【特許文献１】
特開平５−２９３０５３号公報
【特許文献２】
特開平９−１８７６８１号公報
【特許文献３】
特開平１０−２７６９２６号公報
【０００６】
【発明が解決しようとする課題】
上記特許公報の場合、カートリッジ内にビタミンＣの粉末を収容しておき、シャワーヘッド内を流れる水道水の一部をカートリッジに形成した徐放口からカートリッジ内に迎え入れ、この導入した水によってカートリッジ内のビタミンＣ粉末を溶解し、この水溶液を同じく上記徐放口を経てシャワーヘッド内の水道水に混合させるようになっている。
【０００７】
ところで、例えば塩素中和処理剤としてビタミンＣの粉末を使用する場合、ビタミンＣ（化学式Ｃ６Ｈ８Ｏ６ 、分子量１７６）は遊離残留塩素の主体である次亜塩素酸（化学式ＨＯＣｌ、分子量５２．４５）と、以下の化学反応を生じるとされている。
Ｃ６Ｈ８Ｏ６ ＋ＨＯＣｌ  →  Ｃ６Ｈ６Ｏ６＋ＨＣｌ＋Ｈ２Ｏ
すなわち、ビタミンＣ（Ｌ−アスコルビン酸）１モルと次亜塩素酸１モルが反応して、デヒドロアスコルビン酸（Ｃ６Ｈ６Ｏ６）１モルと、塩素酸（ＨＣｌ）１モルおよび水（Ｈ２Ｏ）１モルを生成する。つまり、ビタミンＣ粉末１７６ｇは次亜塩素酸５２．４５ｇと化学反応を生じ、言い換えると次亜塩素酸１ｇを無害な塩素酸に変換するためにビタミンＣ粉末を３．３５ｇ必要とする。
【０００８】
したがって、例えばカートリッジにビタミンＣ粉末を１０ｇ詰めた場合、前記化学反応が理想的に行われると仮定すると、次亜塩素酸を約３ｇ中和できることになる。仮に次亜塩素酸濃度が１．０ｐｐｍの水道水であれば約３０００リットル（３トン）を処理できることになり、給水通路に次亜塩素酸濃度が1．０ｐｐｍの水道を毎分１０リットル流すと仮定すれば、約３００分間に亘り連続して塩素の中和処理を行えることになる。言い換えると、次亜塩素酸濃度1．０ｐｐｍの水道水を毎分１０リットル処理しようとすると、毎分０．０３３ｇのビタミンＣの粉末を連続して供給すればよいことになる。
【０００９】
しかし、０．０３３ｇのビタミンＣ粉末は極めて微量であり、この量を１分間に亘り分散して連続放出するのは、極めて精度の高い徐放量制御を必要とする。
一方、ビタミンＣ粉末や顆粒はこれを水に溶かすと、２５〜３０％の濃度で飽和に達する。すなわち、０．０３３ｇのビタミンＣを飽和水溶液にすると、ほぼ０．０８〜０．１mlの量になる。前記次亜塩素酸濃度1．０ｐｐｍの水道水を毎分１０リットル処理しようとする場合、ビタミンＣ飽和水溶液の場合は毎分０．０８〜０．１mlだけ放出すればよいことになる。
【００１０】
しかし、このような微量な水溶液を毎分０．０８〜０．１mlだけコンスタントに放出する場合も、その放出量が極めて微量であるから徐放量の制御が極めて困難である。
従来の場合、カートリッジに形成された徐放口は直径４mmないし５mm又はそれ以上であるため、必要以上にビタミンＣ水溶液が放出されてしまい、ビタミンＣが過剰に放出されて、消費量が過剰になる。このため、ビタミンＣを頻繁に補充しなければならない、又はカートリッジの交換期間が短くなるといった不具合がある。
【００１１】
これに対し、徐放口の開口面積を小さくすることによりビタミンＣ水溶液の放出量を制御することが考えられるが、徐放口を小さくしようとしても加工技術の点から限度があり、したがって、シャワーヘッドの通水通路に毎分０．０８〜０．１mlのビタミンＣ水溶液を平均して放出するのは極めて困難であった。
一方、ビタミンＣは粉末の比重がほぼ１．６５であり、飽和水溶液の比重は１．１程度である。すなわち、これら粉末又は水溶液は水より重いので、カートリッジ内が水で満たされた状態ではカートリッジの下部に沈もうとする傾向がある。このため、シャワーヘッドを同一姿勢で連続して使用したり、使用せずに壁掛けフックに掛けておいた場合などでは、カートリッジ内の粉末は底の方に堆積するとともに、その水溶液は上下に濃度差を生じる。
【００１２】
このような状態では、徐放口から供給されるビタミンＣ水溶液の濃度にばらつきを生じ、前述したように毎分０．０８〜０．１mlのビタミンＣ水溶液をコンスタントに放出するのが難しいという問題がある。
本発明の目的は、混入溶液を水道水の流量に見合った適切な量で放出することができ、混入溶液の過剰な供給又は不足を解消して、混入溶液を無駄なく有効に水道水に混入することができる混入溶液徐放機能付き給水器を提供することにある。
【００１３】
【課題を解決するための手段及び発明の効果】
上記目的を達成するため本発明は、導入口及び吐出口を有し、これら導入口と吐出口との間に給水通路が形成された給水器本体と、上記給水通路を流れる水に混入されるとともにこの水よりも比重の大きな混入溶液が収容された混入溶液収容室と、上記混入溶液収容室と区画され、この混入溶液収容室の上部位置に設けられるとともにこの混入溶液収容室より混入溶液が導かれる希釈室と、これら混入溶液収容室および希釈室を相互に通水可能に仕切る仕切材と、給水を止めて使用しないときの前記給水器本体の姿勢でみて上記希釈室の上部位置に形成され、上記給水通路よりこの給水通路を流れる水の一部を希釈室に導入し、この導入した水により希釈室内で上記混入溶液収容室より導入した混入溶液を低濃度に希釈し、この低濃度の希釈溶液を上記給水通路に供給する徐放口と、を具備した混入溶液徐放機能付き給水器を提供する。
【００１４】
ここで混入溶液とは、塩素中和剤や芳香剤・弱酸化剤・弱アルカリ剤・皮膚化粧水・入浴剤・保湿剤・洗髪剤などを含み、要するに水道水に混入して使用する溶剤であればよい。また、混入溶液収容室に収容する形態としては、既に液状になっていて水に希釈可能な原液のような濃度の高い溶液であってもよく、又は粉末や顆粒もしくはペレット形状をなしていて水（又はお湯）に溶解することによって混入溶剤を生成するものであってもよい。
【００１５】
また、ここで給水を止めて使用しないときの給水器本体の姿勢とは、例えばシャワーヘッドの場合はシャワーヘッドが壁掛けフックに係止されているような場合であり、また蛇口取付け形給水具などの場合はその給水具が蛇口に取り付けられている姿勢をいう。
上記構成によると、給水通路に水（湯でも可）を流すと、この水の一部が徐放口より希釈室に進入し、同時に希釈室の混入溶液が徐放口から給水通路に放出される。よって、この希釈室では外部から入る水の量に応じて混入溶液が外に放出される。そして、希釈室では入れ替わった水量に応じて溶液の濃度が下がる。又、希釈室の低濃度溶液は圧力差や拡散作用などにより混入溶液収容室に進入し、同時に混入溶液収容室内の高濃度な溶液が希釈室に入る。つまり、希釈室では混入溶剤収容室から進入した高濃度な溶液と濃度が低くなった溶液及び外部から入ってきた水が混ざり合い、適度な低濃度水溶液となる。したがって、混入溶液収容室の高濃度な溶液が希釈室で希釈され、この希釈された低濃度の水溶液が徐放口から給水通路に供給されるようになる。
【００１６】
なお、混入溶液収容室に粉末や顆粒を余剰に収容してある場合は、混入溶液収容室内においては、溶液濃度が下がっても粉末又は顆粒を飽和状態になるまで溶解し混入溶液を補充するので高い濃度を保つ。
従来のように、混入溶液を高濃度状態で給水通路に放出する場合は、放出量を微量に規制しなければならず、このためには徐放口の開口を極めて小さく加工する必要があるが、本発明のように、希釈室で混入溶液を薄めてやることにより希釈した状態の溶液の放出量を多くしてやればよく、放出量を増やすために徐放口の開口を大きくすればよい。よって、上記のように希釈することで、徐放口の開口面積を極端に小さくしなくても水道水の流量に見合った最適量の混入溶剤を水道水に混合させることができる。このため、徐放口の加工が容易になる。
【００１７】
なお、希釈室は、複数の希釈室を段階的に備え、濃度の高い溶液を順次希釈室を経由させることで複数段階を経て薄めるようにしてもよい。
しかも、上記のような構成の場合、徐放口は希釈室の上部に開口されているから比重の大きい混入溶液が希釈室内で下に溜ろうとし、給水通路に漏れ出るのを低減する。よって、不使用時に混入溶液が無駄に漏出するのを抑止することができる。
【００１８】
さらにまた、混入溶液収容室と希釈室が相互に通水可能な状態で仕切材により区画されているので、混入溶液収容室と希釈室とで濃度差を顕著にすることができ、また混入溶液収容室に余剰の粉末、顆粒、ペレットを収容した場合はこれら粉末、顆粒又はペレットが希釈室に入り込まず、徐放口を塞ぐことがなくなる。
本発明の好ましい態様は、混入溶液収容室及び希釈室の少なくとも一方に、内部の混入溶液を撹拌する撹拌機構を備えていることである。
【００１９】
このような場合、混入溶液収容室及び／又は希釈室内の混入溶液が撹拌されるので、それぞれの部屋の溶液濃度が各室内でほぼ均等になり、このため徐放口から放出される溶液濃度を均等化することができる。
撹拌機構の好ましい態様は、給水通路を流れる水の流動エネルギーを利用して上記混入溶液収容室又は希釈室内の混入溶液に回転運動を与える手段と、上記回転される混入溶液の一部に回転抵抗を与える回転抵抗手段と、を備えることである。
【００２０】
このような構造の場合、通水中に混入溶液収容室又は希釈室内の混入溶液が回転されるためこの溶液に回転運動が生じ、同時に回転抵抗手段が混入溶液の回転の一部に抵抗を与えるようになる。つまり、回転抵抗手段は混入溶液が回転するのを部分的に阻害する作用を生じ、溶液の回転に乱れを発生させる回転阻止作用をなす。このため回転する混入溶液に乱流が生じ、この溶液が撹拌されるようになる。
【００２１】
上記混入溶液に回転運動を与える手段は、給水通路を流れる水の全部又は一部により上記混入溶液収容室又は希釈室全体を回転させ、この混入溶液収容室又は希釈室の回転により混入溶液に追従回転を与えるものであることが望ましい。
この場合は、給水通路を流れる水のエネルギーにより混入溶液収容室又は希釈室自体が回転し、これにより内部の混入溶液が連れ回りされて結局混入溶液収容室又は希釈室と一体的に回転することになる。
【００２２】
混入溶液収容室又は希釈室全体を回転させる手段としては、給水通路を流れる水の流動エネルギーによって給水通路内に旋回流を発生させる旋回流発生機構と、上記混入溶液収容室又は希釈室に設けられ、上記旋回流を受けてこの混入溶液収容室又は希釈室自身を回転させる受け羽根と、を備えることが望ましい。
このような構造の場合、通水により給水通路内に旋回流が発生し、この旋回流を受けて混入溶液収容室又は希釈室が回転する構造であるから、混入溶液収容室又は希釈室を回転させるための構造が簡素化する。
【００２３】
上記回転される混入溶液の一部に回転抵抗を与える回転抵抗手段としては、混入溶液収容室又は希釈室内に移動自在に収容した磁性体又は磁石と、給水器本体に固定した磁石又は磁性体と、を備え、上記混入溶液収容室又は希釈室内の混入溶液が回転した場合に上記給水器本体側の磁石又は磁性体と混入溶液収容室又は希釈室内の磁石又は磁性体とが磁力作用により吸引し合って混入溶液収容室又は希釈室内の磁石又は磁性体が混入溶液の回転に追従されないようにすることである。
【００２４】
なお、磁石と磁性体の関係は、要するに相互に磁力が作用する関係であればよく、磁石同士、又は一方が磁石で他方が磁性体などであってもよい。
このような構成の場合、混入溶液収容室又は希釈室内の混入溶液が回転しているとき、給水器本体側の磁石又は磁性体と、混入溶液収容室又は希釈室内の磁石又は磁性体が相互に吸着又は反発しあって、混入溶液収容室又は希釈室内の磁石又は磁性体が混入溶液に追従して連れ回りされるのが阻止される。このため、混入溶液収容室又は希釈室内に障害物が存在することになり、これが回転している混入溶液を撹拌する。したがって、各部屋内における溶液の濃度差を解消することができる。
【００２５】
本発明の他の好ましい態様は、混入溶液収容室内には、水に溶けて混入溶液を生成する元となる粉末又は顆粒もしくはペレットが収容されており、これら粉末又は顆粒もしくはペレットが水に溶けて混入溶液を生成するものであることが望ましい。
このような場合、使用する前に混入溶液収容室内に、液体が入っていないので、搬送や販売展示時に液漏れなどが生じず、取り扱いが容易である。
【００２６】
そしてこの場合は、新規に使い始めるとき給水通路に水を通すと、この給水通路内の水の圧力は大気圧以上になるから、それまで大気圧であった希釈室に連なる混入溶液収容室内に徐放口から水が侵入し、混入溶液収容室内の空気は徐放口から排除される。これにより、混入溶液収容室内に水が入り、粉末や顆粒もしくはペレット状の混入剤が水に溶け、混入溶液になる。
【００２７】
上記のごとく水に溶けて混入溶液を生成する元となる粉末又は顆粒もしくはペレットは、混入溶液収容室内に最初に充填される水によって溶ける量より余剰に収容されていることが望ましい。
粉末又は顆粒もしくはペレットを余剰に収容しておけば、多量の混入溶液を作ることができるので、長期間に亘り使用することができる。
【００２８】
混入溶液としては、Ｌ−アスコルビン酸（ビタミンＣ）又はＬ−アスコルビン酸類であることが望ましく、Ｌーアスコルビン酸類は、塩素との反応性に優れ、しかも食品添加物に認定されているので安全性が高い。
本発明の他の好ましい態様は、混入溶液収容室の内部が外から見えるようになっていることである。混入溶液収容室内が外から見えるようにすると、混入溶液や粉末、顆粒又はペレットなどの残量が外から判り、補充時期や交換時期を容易に知ることができる。
【００２９】
なお、外部から中が見える構造としては、給水器本体及びこれに収容した混入溶液収容室はそれぞれ少なくとも一部が透明であり、内部に収容した上記収容物が給水器本体の外から見えるようになっているのが望ましい。このような場合、透視可能な状態とは、透明、着色透明、または半透明などであってよく、要するに外から内部が見える状態であればよい。
【００３０】
他の好ましい態様は、混入溶液収容室、希釈室及び徐放口が、一体又は一体的に構成されてカートリッジを形成していることであり、このようなカートリッジが給水器本体に脱着可能に取り付けられていることである。このようにすれば、混入溶液が消費されて無くなった場合、補給するのが容易であり、またはカートリッジごと取り換えることもできる。
【００３１】
また、カートリッジが給水通路内に脱着可能に取り付けられていると、カートリッジが給水器本体の外に出っ張らないので使用時に邪魔にならず、しかも外観が簡素化する。
更に、他の好ましい態様は、徐放口の開口面積を１．０mm２以下に設定することである。徐放口の開口が小さいほど内部の混入溶液の放出量を高精度に制御することができる。
本発明者の種々の実験結果から、徐放口の開口面積を１．０mm２以下に設定すれば、給水通路を流れる水の流量に見合った溶液の徐放量を得ることができることが確認された。なお、開口面積は、残留塩素の濃度や給水通路内の流量にもよるが、一層好ましくは０．５mm２以下０．０３mm２以上がよく、０．０３mm２未満では穴開け加工が難しい。
【００３２】
そして、本発明はシャワーヘッドに用いれば、頭髪に対し混入剤水溶剤で処理した処理液を浴びることができる。この場合、好ましくは、握り部を有するシャワーヘッドであれば、この握り部にカートリッジを脱着可能に収容してあることが望ましい。
ここでシャワーヘッドは、一般家庭を始め、旅館、ホテル、スイミングプール、病院などのシャワー設備や洗面所、または美容院、理容院等の洗髪用シャワーなど、あらゆる分野のシャワーヘッドに使用可能である。
【００３３】
以上説明した通り本発明によれば、濃度の高い混入溶液を希釈室で薄めて徐放口から徐放するから、希釈された分に見合って水溶液の徐放量を多くすれば水道水で必要とする量の混入溶剤を供給することができ、したがって徐放口の大きさの加工が容易になり、かつ給水量に応じた最適量の混入溶液を供給することができる。しかも、不使用時には混入溶剤が無駄に漏出されるのが防止される。
【００３４】
また、本発明によれば、給水中、カートリッジ内の水溶液を撹拌して濃度差をなくすことができるから、水道水に混ぜる混入溶液の濃度を一定にすることができ、徐放量のばらつきを防止することができる。
このようなことから、混入溶剤を有効に使用することができ、カートリッジの寿命、交換期間を長くすることができるなどの利点がある。
【００３５】
【発明の実施の形態】
「第1の実施例」
以下本発明について、シャワーヘッドに適用した一実施例を第１図にもとづき説明する。第１図はシャワーヘッドの一部断面して示す側面図である。
第１図において、１は塩素中和機能付きシャワーヘッドの本体であり、握り部２およびヘッド部３を備えている。これら握り部２およびヘッド部３はＡＢＳ樹脂、ポリプロピレンなどの合成樹脂からなり、本例の場合、握り部２とヘッド部３がそれぞれ別体に形成されており、互いに図示しないネジまたはバヨネット結合などの手段で脱着可能に連結されている。
【００３６】
握り部２は透明であり、中空円筒形をなしており、内部に給水通路４が形成されている。この給水通路４は基端部の導入口５を通じて図示しないシャワーホースに連結されるようになっている。
ヘッド部３の内部空間は上記握り部２の給水通路４に連なっており、先端には散水板６が取り付けられている。散水板６は全面に亘り多数個の散水孔７（本発明の吐出口に相当）が形成されており、これら散水孔７よりシャワー水が放出される。なお、散水板６は、ヘッド部３に対して押えリング８により脱着可能に取り付けられている。
【００３７】
上記握り部２内の給水通路４には、カートリッジ１０が収容されている。カートリッジ１０は両端が閉塞された円筒形をなしており、合成樹脂、例えばＡＢＳ樹脂やポリプロピレンなどにより、内部が透けて見える透明に形成されている。そして、このカートリッジ１０の内部には、混入溶液が収容されている。本実施例の場合、混入溶液として塩素中和作用を奏するアスコルビン酸（ビタミンＣ）が、予め粉末１１の形態で収容されている。ビタミンＣの粉末は、最初にカートリッジ１０内に水を満杯に注入したときの水量では溶けきれないように、余剰に収容されている。なお、塩素中和剤としては、アスコルビン酸（ビタミンＣ）のほかに、アスコルビン酸ナトリウム、亜硫酸カルシウム、亜硫酸ナトリウムなどであってもよい。
【００３８】
このカートリッジ１０の図示上端部（水道水の流れ方向に沿って下流側に位置する端部）には、例えば周側面に単一の徐放口１２が形成されている。この徐放口１２は、開口面積が非常に小さく形成されており、面積は１．０mm２以下、例えば直径１．０mm（この場合の開口面積は０．７８５mm２）以下としてある。
カートリッジ１０内には、上部に位置して通水性の仕切材１３が設けられている。仕切材１３は、例えば格子状円板１３ａに不織布などのメッシュシート１３ｂを貼り付けて構成されており、このような仕切材１３によりカートリッジ１０内は、下部の混入溶液収容室１４と、上部の希釈室１５に区画されている。そして、混入溶液収容室１４に上記ビタミンＣの粉末が予め満杯に収容されており、上記混入溶液収容室１４と希釈室１５は、水や混入溶液が自由に通過できるが、ビタミンＣの粉末はメッシュシート１３ｂに阻止されて希釈室１５に進入できないようになっている。なお、徐放口１２は希釈室１５に連通している。
【００３９】
このようなカートリッジ１０の両端部はホルダー１６および１７により保持されており、このカートリッジ１０が握り部２の中心軸上に位置されるようになっている。これにより握り部２の内周面とカートリッジ１０の外周面との間には水道水が通る給水通路４が確保されている。上記ホルダー１６，１７は給水通路４を流れる水の流れを阻害しない構造となっており、握り部２とヘッド部３を分解した場合、カートリッジ１０を握り部２の上端開口部から着脱可能に取り出すことができるようになっている。
【００４０】
このような構造の塩素中和機能付きシャワーヘッドについて、作用を説明する。
使用する前の新規なシャワーヘッドは、カートリッジ１０内に空気が残っているとともに、収容されたビタミンＣは粉末１１の状態である。このようなシャワーヘッドの本体１をシャワーホースに連結して給水栓を開けると、水道水（又はお湯）がシャワーホースを通じてシャワーヘッド１に供給される。水道水は握り部２の下端の導入口５から給水通路４を通り、ヘッド部３に至り、散水板６の散水孔７よりシャワー水となって噴射される。
【００４１】
このような給水開始時には、使用前のカートリッジ１０の内部が大気圧と等しい圧力であったのに対し給水通路４を流れる水道水の圧力は大気圧より高いので、給水通路４を流れる水の一部が徐放口１２を通ってカートリッジ１０内部に流れ込む。カートリッジ１０内では徐放口１２から進入した水が希釈室１５に入り、通水性の仕切材１３を通って混入溶液収容室１４に流れ込む。混入溶液収容室１４に収容されているビタミンＣの粉末１１は吸水性を有するため進入してきた水を吸って直ちに溶ける。なお、ビタミンＣは飽和溶解濃度が約２５％程度であり、カートリッジ１０内に水が満たされたとしても、一部のビタミンＣが溶け、残りは粉末１１の状態で残る。
【００４２】
そして、徐放口１２を通ってカートリッジ１０内に水が侵入すると、カートリッジ１０内の圧力が上昇し、このため残留していた空気が圧縮されるとともに空気は軽いからカートリッジ１０の上部、すなわち希釈室１５に集まる。したがって徐放口１２をカートリッジ１０の上部に開口し、しかもシャワーヘッドの本体１を導入口５が下向きでヘッド部３が上向きの姿勢に保っておけば、カートリッジ１０内の空気は徐放口１２を通って自動的にかつ円滑に排除される。排除された空気は、水に混入されて散水孔７からシャワーヘッドの外へ放出される。
【００４３】
そして、給水を止めると、給水通路４の水圧は大気圧に戻るがカートリッジ１０内の圧力は未だ高い圧力となっているので、これら圧力差によりカートリッジ１０内に残っている空気が更に徐放口１２より給水通路４に放出される。
このようにしてカートリッジ１０から空気が排除されると同時にカートリッジ１０内は水で満たされる。上述したように、ビタミンＣは飽和溶解濃度が約２５％程度であり、混入溶液収容室１４に水が満杯に満たされたとしても、一部のビタミンＣが溶け、残りは粉末１１の状態で残る。ビタミンＣの粉末１１の比重は約１．６５であり、飽和水溶液の比重はほぼ１．１であるから、残った粉末１１は底に沈み、また溶液も底の方に滞留する。すなわち、濃度の高い溶液は混入溶液収容室１４に貯えられる。しかし、混入溶液収容室１４は希釈室１５に連通しているから、濃度の高い溶液の一部は希釈室１５に拡散する。このため、希釈室１５にはビタミンＣの濃度の低い水溶液が貯えられることになる。
【００４４】
次に、入浴時などにシャワーを使用する場合、給水栓を開いて通水を始めると、給水通路４を流れる水道水に動水圧が生じ、この動水圧が徐放口１２を経て希釈室１５に作用する。すなわち、給水通路４を流れる水道水の一部が徐放口１２を通じて希釈室１５流れ込み、同時に希釈室１５内のビタミンＣ水溶液が徐放口１２を通じて給水通路４に放出される。
【００４５】
よって給水通路４に放出されたビタミンＣ水溶液は通水通路４を流れる水道水に混ざり、ビタミンＣが水道水に含まれている遊離残留塩素と反応し、この遊離残留塩素を中和して無害な塩素化合物に変える。このような水道水は散水板６より放出される。
一方、希釈室１５に流れ込んだ水道水は、希釈室１５内でビタミンＣ水溶液に混ざり、ビタミンＣ水溶液の濃度を薄くする。また、上記動水圧は希釈室１５から混入溶液収容室１４に作用し、希釈室１５から低濃度のビタミンＣ水溶液を送り込む。これに伴い、混入溶液収容室１４の高濃度なビタミンＣ水溶液が仕切材１３を透過して希釈室１５に流出し、希釈室１５に濃いビタミンＣ溶液を補充する。
【００４６】
そして、混入溶液収容室１４に希釈室１５から低濃度のビタミンＣ水溶液が流れ込むと、この混入溶液収容室１４の濃度は低下するが、混入溶液収容室１４には未だ溶解しないビタミンＣの粉末１１が残っているので、この粉末１１が溶ける。つまり、混入溶液収容室１４はビタミンＣが飽和溶解濃度に達するまで溶け、よって高濃度のビタミンＣ水溶液が貯えられる。
【００４７】
このようなことから結局、希釈室１５では外から流れ込んだ水と、混入溶液収容室１４で作られた高濃度のビタミンＣ水溶液が供給されて高濃度のビタミンＣ水溶液が希釈され、この低濃度に希釈された水溶液が徐放口１２を通じて給水通路４に放出されることになる。
上記のように、希釈室１５内でビタミンＣ水溶液の濃度が薄められる場合、例えば１０倍に薄めるとすると、単位時間内に徐放口１２から給水通路４に放出する量は、濃度を希釈しない水溶液の場合に比べて１０倍にすればよい。このため単位時間の放出量を増やすには、徐放口１２の開口面積を大きくすればよいことになる。
【００４８】
すなわち、従来の場合、高い濃度のビタミンＣ水溶液を微量だけ放出しようとして徐放口の開口面積を小さくする方向に技術改良がなされており、穴加工が不可能なレベルであったが、上記のように水溶液を希釈して低濃度水溶液を作るようにすれば、徐放口１２の開口面積を小さくする困難な技術を必要とせず、実施可能なレベルの大きさの穴加工で実現できることになる。
【００４９】
このことから、ビタミンＣの徐放量を、必要量に制御することができ、過剰な放出や、不足を解消することができる。よって、カートリッジ１０に充填したビタミンＣ粉末量を水道水中に含まれる残留塩素の中和処理に有効に使用することができ、カートリッジの使用寿命を長くすることができる。
なお、ビタミンＣの粉末１１が溶けて無くなると水溶液を生成できなくなり、カートリッジ１０の交換をすればよい。
【００５０】
徐放口１２の開口面積が大きいとアスコルビン酸の放出量が過剰になる。本発明者の実験によれば、徐放口１２の開口面積を加工可能な範囲で小さくすることにより徐放量を規制できることが確かめられ、実質的には開口面積を１．０mm２以下にすれば、流量に見合った徐放量を得ることができることが判った。
さらに、望ましくは徐放口１２の開口面積を０．５mm２ないし０．０３mm２の範囲にすればよいことが判った。
【００５１】
なお、徐放口１２の開口面積が０．０３mm２未満であると、穴加工が実質的に困難であるとともに、新規に使用するときの空気の排除に時間を要するので好ましくない。
次に、給水を停止すると、給水通路４の水圧は大気圧に戻り、カートリッジ１０内の圧力も大気圧と等しくなる。このときシャワーヘッドを図示しない壁掛けフックに係止しておけば、シャワーヘッドは図のようにヘッド部３が上向きの姿勢に保たれるから、カートリッジ１０に形成した徐放口１２は、カートリッジ１０の上部に位置される。これに対し、カートリッジ１０内の水溶液は比重が水より大きいのでカートリッジ１０の下部に沈もうとし、上部に位置する徐放口１２から漏出するのが規制される。
【００５２】
よって、シャワーを使用しないときには、カートリッジ１０から給水通路４内にビタミンＣ水溶液が漏れ出るのが防止され、無駄な消費が規制される。
このような構成のシャワーヘッドは、カートリッジ１０が外から透視可能であり、かつこのカートリッジ１０を収容した握り部２も外から透視可能であるから、外からカートリッジ１０に収容したビタミンＣの粉末１１が見える。よって、外部よりビタミンＣの残量を視認できるので、残量が少なくなる又は無くなればカートリッジ１０を交換することができる。この場合、握り部２からヘッド部３を取り外し、握り部２の上端開放部を通じてカートリッジ１０の交換を行うことができる。
「第２実施例」
次に、本発明の第２実施例を、第２図ないし第５図にもとづき説明する。
【００５３】
第２図ないし第５図において、第１図の構成と同一部材は同一番号を付してその説明を省略する。すなわち、１はシャワーヘッドの本体、２は握り部、３はヘッド部、４は給水通路、５は導入口、６は散水板、７は散水孔、８は押えリング、１０はカートリッジ、１１はビタミンＣの粉末、１２は徐放口である。
握り部２の給水通路４内には、カートリッジ１０の図示下方（流れ方向の上流側）に位置して、旋回流発生羽根４０が設けられている。この旋回流発生羽根４０は導入口５から流入した水道水に旋回流を発生させ、給水通路４を流れる水が旋回しつつ上流側から下流側に向かって流れるようにする。この旋回流発生羽根４０は周方向に複数の案内羽根４１を備え、これら案内羽根４１が螺旋形にねじられており、したがって通水が案内羽根４１にガイドされて旋回流を生じるようになっている。なお、この旋回流発生羽根４０は握り部２の内面に圧入または接着などの手段で固定されている。
【００５４】
カートリッジ１０は、上記給水通路４内の水の旋回流を受けて回転するようになっており、このカートリッジ１０の詳細な構造を第３図にもとづき説明する。カートリッジ１０は、カートリッジ本体１０１とキャップ１０２とで構成されており、これらは互いに気液密に接合されている。カートリッジ本体１０１の下部外周面には、周方向に離間して複数の受け羽根４２が一体に形成されている。これら受け羽根４２は、上記旋回流を受けるもので、螺旋状に形成されていてもよいが、本例では第５図にも示すように、軸方向に沿ってリブ状に形成されている。
【００５５】
また、カートリッジ本体１０１の下面中央には下部軸受け４３が一体に形成されており、この下部軸受け４３は、前記旋回流発生羽根４０に一体に突設した下部支持軸４４と脱着可能に係合し、カートリッジ１０を回転自在に支持する。キャップ１０２の上面中央にも上部軸受け４５が一体に形成されている。この上部軸受け４５は、上部支持軸４６に脱着自在に係合しており、この上部支持軸４６は、ヘッド部３の上流側開口部に圧入、又は接着されたホルダー４７に一体に設けられている。
【００５６】
したがって、カートリッジ１０は、上下の軸受け４３，４５がそれぞれ支持軸４４，４６に係合することにより、握り部２内の中心軸線上で回転自在に保持される。そして、ヘッド部３を握り部２から外した場合、握り部２の上端開口部からカートリッジ１０を取り出すことができ、またカートリッジ１０を握り部２内に装着することができる。
【００５７】
カートリッジ１０内には、上部に位置して通水性の仕切材４８が設けられている。仕切材４８は、例えば格子状円板４８ａに不織布などのメッシュシート４８ｂを貼り付けて構成されており、このような仕切材４８によりカートリッジ１０内は、下部の混入溶液収容室４９と、上部の第１の希釈室５０とに区画されている。そして、混入溶液収容室４９にビタミンＣの粉末１１が予め余剰に、例えば満杯に収容されており、上記混入溶液収容室４９と第１の希釈室５０は、水や溶液が自由に通過できるが、粉末１１はメッシュシート４８ｂに阻止されて第１希釈室５０に進入できないようになっている。
【００５８】
また、キャップ１０２の上端面には、中心から偏心した位置に円筒形の小部屋が形成され、この小部屋は第２の希釈室５１とされている。この第２の希釈室５１は前記第１の希釈室５０に連通されている。そしてこの第２の希釈室５１の上端面に徐放口１２が形成されている。
さらに、第１の希釈室５０及び混入溶液収容室４９にはそれぞれ回転阻害手段としての第１の内部磁石５２及び第２の内部磁石５３が収容されている。これら第１及び第２の内部磁石５２，５３はそれぞれ第１の希釈室５０及び混入溶液収容室４９内で自由に移動できるように収容されている。なお、第２の内部磁石５３は、浮体５４に取り付けられており、混入溶液収容室４９内の水溶液の中で浮力によって浮くようになっている。
【００５９】
これら内部磁石５２，５３に対向して握り部２には、それぞれ第１の外部磁石５５、及び第２の外部磁石５６が固定されている。これら第１及び第２の外部磁石５５，５６は、上記第１及び第２の内部磁石５２，５３と相互の磁力により吸引力を発生し、第１及び第２の内部磁石５２，５３を、第５図に示すように、カートリッジ１０の内壁面に引き寄せるようになっている。
【００６０】
このような構成の第２の実施例について、作用を説明する。
給水栓を開いて給水通路４に水を流すと、通水は導入口５の近傍に設けた旋回流発生羽根４０を通り、この旋回流発生羽根４０により旋回流を発生させられる。この旋回流は給水通路４の上流から下流側に向かって旋回して流れる。これにより、図５に示すように、カートリッジ１０の下端部外周に設けた受け羽根４２が旋回流を受け、カートリッジ１０が回転する。カートリッジ１０は、上下の軸受け４３，４５がそれぞれ支持軸４４，４６に係合しているから、握り部２の中心軸線上で回転する。
【００６１】
このため、カートリッジ１０内の内容物、すなわちビタミンＣの粉末１１及びこの水溶液がカートリッジ１０の回転に応じて連れ回り回転する。ビタミンＣの粉末１１及びこれの水溶液が回転すると遠心力を発生し、粉末１１及び水溶液はカートリッジ１０の内面に押しつけられるような力を受ける。このとき、水溶液に濃度差があると、比重差のため濃度の高い水溶液はカートリッジ１０の内面に押しやられるようになる。
【００６２】
しかし、上記のようにビタミンＣの粉末１１及び水溶液が回転するとき、カートリッジ１０内に収容した第１及び第２の内部磁石５２，５３が、それぞれ握り部２に固定した第１、第２の外部磁石５５，５６の吸引力を受けてカートリッジ１０の内壁面に引き寄せられ、これら外部磁石５５，５６に最も近い位置に静止する。よって、ビタミンＣの粉末１１及び水溶液は回転するにも拘わらず、内部磁石５２，５３は回転しないから、ビタミンＣ粉末１１及び水溶液の回転流れの一部が内部磁石５２，５３に衝突し、回転流が阻害される。すなわち、第５図に示すように、第１、第２の内部磁石５２，５３がビタミンＣの粉末１１及び水溶液の回転の邪魔をし、水溶液の回転流を乱し、このため水溶液が撹拌される。
【００６３】
この結果、混入溶液収容室４９及び第１の希釈室５０内の水溶液が比重差により上下及び半径方向に濃度差を発生しようとしても、上記撹拌作用により濃度差が解消され、これら混入溶液収容室４９及び第１の希釈室５０内の水溶液はそれぞれ濃度が均等に保たれる。
一方このような通水時には、給水通路４を流れる水道水の一部が徐放口１２を通って第２の希釈室５１に流れ込み、同時にこの第２の希釈室５１内のビタミンＣ水溶液が徐放口１２を通じて給水通路４に放出される。放出された水溶液は通水通路４を流れる水道水に混ざって遊離残留塩素と反応し、この遊離残留塩素を中和して無害な塩素化合物に変える。
【００６４】
そして、第２の希釈室５１に流れ込んだ水道水は、この希釈室５１内でビタミンＣ水溶液に混ざり、この水溶液の濃度を低くする。このとき、第１の希釈室５０内の中濃度の水溶液が第２の希釈室５１に進入し、第２の希釈室５１に水溶液を補充する。このため、第２の希釈室５１内ではビタミンＣ水溶液の濃度が低濃度に保たれる。
【００６５】
また、第１の希釈室５０においては、第２の希釈室５１から低濃度の水溶液が流れ込み、この第１の希釈室５０の濃度が低下するが、この第１の希釈室５０は混入溶液収容室４９と連通しているため混入溶液収容室４９から高濃度の水溶液が進入する。このため第１の希釈室５０では中程度の濃度の水溶液が貯えられる。
【００６６】
さらに、混入溶液収容室４９では第１の希釈室５０から濃度の低い水溶液が流れ込み、この混入溶液収容室４９内の濃度が低下するが、混入溶液収容室４９には未だ溶解しないビタミンＣの粉末１１が残っているので、この粉末１１が溶ける。つまり、混入溶液収容室４９は溶解飽和濃度になるまでビタミンＣが溶けるので、高濃度の水溶液を貯えられることになる。
【００６７】
このようなことから結局、混入溶液収容室４９で作られた高濃度のビタミンＣ水溶液は第１の希釈室５０へ供給され、この第１の希釈室５０内で中程度の濃度に希釈されてここに貯留され、この中程度の濃度の水溶液は第２の希釈室５１へ供給され、この第２の希釈室５１内で低濃度に希釈されてここに貯留される。したがって、この低濃度のビタミンＣ水溶液が徐放口１２を通じて給水通路４に放出されることになる。
【００６８】
このような第２の実施例の場合も、混入溶液収容室４９及び第１の希釈室５０内の水溶液は、回転され、しかしながらこの回転の一部が内部磁石５２，５３に阻害されることから撹拌されることになり、これら混入溶液収容室４９及び第１の希釈室４５０の濃度を一様に保つようになる。そして、濃度が常に一様に調節された水溶液は第２の希釈室５１に供給されるから、この第２の希釈室５１の濃度ばらつき抑止することができ、給水通路４に放出する水溶液の濃度ばらつきを軽減することができる。
【００６９】
なお、その他の作用は、前記第１の実施例と同様であり、説明を省略する。
「第３の実施例」
上記第１および第２の実施例では、本発明をシャワーヘッドに適用した場合を説明したが、本発明は第６図および第７図に示す第２実施例としての給水具などであっても実施可能である。
【００７０】
第６図および第７図に示す給水具は、透明な樹脂製の給水具本体６１が、導水管６２を通じて蛇口６３に接続されている。導水管６２は給水具本体６１の上部側面に形成した導入口６４に連通している。給水具本体６１は、下端が開口した円筒形をなしており、内部には上記導入口６４と下端吐出口に連なる給水通路６５が形成されている。給水具本体６１の下端吐出口には散水板６６がねじ込みなどの手段で脱着可能に取り付けられている。
【００７１】
上記給水通路６５には、カートリッジ６７が収容されている。カートリッジ６７は密封構造の円筒形をなしており、内部が透けて見える透明に形成されている。このカートリッジ６７の内部は通水性の仕切材６８にて上下に区画されており、仕切材６８の下方に混入溶液収容室６９が形成されているとともに、上方に希釈室７０が形成されている。混入溶液収容室６９には、ビタミンＣが粉末７１の形態で収容されている。そして、カートリッジ６７の上端部、つまり、希釈室７０の上端部に位置しその周側面には、単一の徐放口７２が形成されており、この徐放口７２は、開口面積が１．０mm２以下、好ましくは０．５mm２以下０．０３mm２以上とされている。
【００７２】
上記希釈室７０には内部磁石７３が移動自在に収容されている。これに対向して給水具本体６１の側面には外部磁石７４が固定されている。これら内部磁石７３と外部磁石７４は回転阻害手段を構成している。
上記カートリッジ６７の上端には、回転羽根７５が一体に形成されている。この回転羽根一体のカートリッジ６７の上下端には、第７図に示すようにそれぞれ軸７６，７７が形成されており、これら軸７６，７７は給水具本体６１の天井面および散水板６６の中央に設けた軸受け７８，７９にそれぞれ脱着可能に取り付けられている。上記回転羽根７５は導入口６４から流れ込む水によって回転され、これによりカートリッジ６７も一体に回転されるようになっている。
【００７３】
なお、カートリッジ６７の外周面と給水具本体６１の内周面との間には給水通路６５が確保されており、また、散水板６６を取り外せば給水具本体６１の下端からカートリッジ６７及び回転羽根７５を交換できるようになっている。
このような構成の給水具では、新規に使用開始時には徐放口７２がカートリッジ６７の上端部に形成されているからこの徐放口７２を通じてカートリッジ６７内の空気が速やかに排除され、カートリッジ６７内に水を導入することができる。
【００７４】
また通常の給水中は、導入口６４から流れ込む水によって回転羽根７５が回転され、これによりカートリッジ６７も一体に回転される。このため、混入溶液収容室６９に収容したビタミンＣの粉末７１及びこの水溶液、並びに希釈室７０内の水溶液も連れ回り回転され、遠心力を生じる。このとき、希釈室７０に収容してある内部磁石７３が給水具本体６１の側面に固定した外部磁石７４の磁力を受けて回転を阻止され、よって水溶液の回転の一部が邪魔されるようになり、この結果希釈室７０内の水溶液の濃度が一様になる。この水溶液は徐放口７２を通じて給水通路６５に放出され、同時に給水通路７０の水道水の一部が希釈室７０に流入する。
【００７５】
そして、希釈室７０の低濃度の水溶液は混入溶液収容室６９に流れ込むとともに混入溶液収容室６９の高濃度な水溶液が希釈室７０に流れ、すなわち前記シャワーヘッドの場合と同様に入れ替わり、希釈室７０内に低濃度の水溶液が濃度を一様に保たれて貯えられるようになる。
そして、給水を停止した場合は、徐放口７２がカートリッジ６７の上部に形成されていることから、この徐放口７２を通じてビタミンＣ水溶液が漏れ出るのを最小限に止めることができる。
【００７６】
したがって、このような構成の場合も、カートリッジ５７に収容されているビタミンＣを必要な最小限の量で徐放することができ、無駄な消費を抑えてビタミンＣの有効な使用が可能になり、カートリッジの使用期間を長くすることができる。
なお、第６図および第７図に示す回転羽根一体形のカートリッジを、第１図に示すシャワーヘッドのヘッド部３に収容することもでき、このような場合はシャワーヘッドのヘッド部３を有効に活用することができる。
【図面の簡単な説明】
【図１】  本発明の第1の実施例を示し、シャワーヘッドの一部断面した側面図である。
【図２】  本発明の第２の実施例を示し、シャワーヘッドの一部断面した側面図である。
【図３】  本発明の第２の実施例のカートリッジを拡大して示す断面図である。
【図４】  第３図のIV-IV線に沿う断面図である。
【図５】  第３図のV-V線に沿う断面図である。
【図６】  本発明の第３の実施例を示し、給水具の斜視図である。
【図７】  本発明の第３実施例の断面図である。
【符号の説明】
１…本体
４…給水通路
１０…カートリッジ
１２…徐放口
１３…仕切材
４０…旋回流発生羽根
４２…受け羽根
４８…仕切材
４９…混入溶液収容室
５０…第１の希釈室
５２…第２の希釈室
５３…第１の内部磁石
５４…第２の内部磁石
５５…第１の外部磁石
５６…第２の外部磁石
６８…仕切材
【図１】
0003871933.tif 000002
【図２】
0003871933.tif 000003
【図３】
0003871933.tif 000004
【図４】
0003871933.tif 000005
【図５】
0003871933.tif 000006
【図６】
0003871933.tif 000007
【図７】
0003871933.tif 000008